【手続補正書】
【提出日】平成29年1月13日(2017.1.13)
【手続補正１】
【補正対象書類名】特許請求の範囲
【補正対象項目名】全文
【補正方法】変更
【補正の内容】
【特許請求の範囲】
【請求項１】
データを送信する際に適用するMCS(Modulation Coding Scheme)を通信状況に応じて制御する適応レート制御部と、
前記適応レート制御部により決定された前記MCSを用いて前記データを変調符号化し、その結果得られる送信データをフレーム単位で送信する送信部とを備え、
前記適応レート制御部は、
前記フレーム単位での送信成功回数ｎまたは前記送信成功回数ｎに基づく値ｎ’が第１の閾値以上となった場合には前記MCSを高いレベルに引き上げ、
前記MCSを高いレベルに引き上げた直後に前記フレーム単位での送信が失敗した場合には前記第１の閾値を大きくし、
前記MCSを高いレベルに引き上げた後に前記フレーム単位での送信成功回数ｎまたは前記送信成功回数ｎに基づく値ｎ’が第２の閾値以上となった場合には前記第１の閾値を小さくする
送信装置。
【請求項２】
前記第２の閾値は、前記第１の閾値の初期値である
請求項１に記載の送信装置。
【請求項３】
前記適応レート制御部は、
前記MCSを高いレベルに引き上げた直後に前記フレーム単位での送信が失敗した場合には前記MCSを低いレベルに引き下げる
請求項１または２に記載の送信装置。
【請求項４】
前記適応レート制御部は、受信側から送信されるACKフレームに基づき、前記フレーム単位での送信の成否を判定する
請求項１から３のいずれかに記載の送信装置。
【請求項５】
データを送信する際に適用するMCS(Modulation Coding Scheme)を通信状況に応じて制御する適応レート制御部と、
前記適応レート制御部により決定された前記MCSを用いて前記データを変調符号化し、その結果得られる送信データをフレーム単位で送信する送信部とを備える送信装置の送信方法において、
前記適応レート制御部による、
前記フレーム単位での送信成功回数ｎまたは前記送信成功回数ｎに基づく値ｎ’が第１の閾値以上となった場合には前記MCSを高いレベルに引き上げ、
前記MCSを高いレベルに引き上げた直後に前記フレーム単位での送信が失敗した場合には前記第１の閾値を大きくし、
前記MCSを高いレベルに引き上げた後に前記フレーム単位での送信成功回数ｎまたは前記送信成功回数ｎに基づく値ｎ’が第２の閾値以上となった場合には前記第１の閾値を小さくする
ステップを含む送信方法。
【請求項６】
データを送信する際に適用するMCS(Modulation Coding Scheme)を通信状況に応じて制御する適応レート制御部と、
前記適応レート制御部により決定された前記MCSを用いて前記データを変調符号化し、その結果得られる送信データをフレーム単位で送信する送信部とを備える送信装置の制御用のプログラムであって、
前記適応レート制御部に、
前記フレーム単位での送信成功回数ｎまたは前記送信成功回数ｎに基づく値ｎ’が第１の閾値以上となった場合には前記MCSを高いレベルに引き上げ、
前記MCSを高いレベルに引き上げた直後に前記フレーム単位での送信が失敗した場合には前記第１の閾値を大きくし、
前記MCSを高いレベルに引き上げた後に前記フレーム単位での送信成功回数ｎまたは前記送信成功回数ｎに基づく値ｎ’が第２の閾値以上となった場合には前記第１の閾値を小さくする
ステップを含む処理を送信装置のコンピュータに実行させるプログラム。
【請求項７】
データを送信する際に適用するMCS(Modulation Coding Scheme)を通信状況に応じて制御する適応レート制御部と、
前記適応レート制御部により決定された前記MCSを用いて前記データを変調符号化し、その結果得られる送信データをフレーム単位で送信する送信部とを備え、
前記適応レート制御部は、
前記フレーム単位での送信失敗確率ｒまたは前記送信失敗確率ｒに基づく値ｒ’が第１の閾値未満となった場合には前記MCSを高いレベルに引き上げ、
前記フレーム単位での送信失敗確率ｒまたは前記送信失敗確率ｒに基づく値ｒ’が第２の閾値以上となった場合には前記MCSを低いレベルに引き下げ、
前記MCSを高いレベルに引き上げた直後に前記フレーム単位での送信が失敗した場合には前記第１の閾値を小さくし、
前記MCSを高いレベルに引き上げた後に前記送信失敗確率ｒまたは前記値ｒ’が第３の閾値未満となった場合には前記第１の閾値を大きくする
送信装置。
【請求項８】
前記第３の閾値は、前記第１の閾値の初期値である
請求項７に記載の送信装置。
【請求項９】
前記適応レート制御部は、
前記第１の閾値を小さくするに際して前記送信失敗確率ｒの算出期間を長くし、
前記第１の閾値を大きくするに際して前記送信失敗確率ｒの算出期間を短くする
請求項７または８に記載の送信装置。
【請求項１０】
前記適応レート制御部は、
前記MCSを高いレベルに引き上げた後、送信失敗確率ｒの算出期間を短くする
請求項７から９のいずれかに記載の送信装置。
【請求項１１】
前記適応レート制御部は、
前記MCSを高いレベルに引き上げた後、送信失敗確率ｒの算出期間を初期化する
請求項７から９のいずれかに記載の送信装置。
【請求項１２】
データを送信する際に適用するMCS(Modulation Coding Scheme)を通信状況に応じて制御する適応レート制御部と、
前記適応レート制御部により決定された前記MCSを用いて前記データを変調符号化し、その結果得られる送信データをフレーム単位で送信する送信部とを備える送信装置の送信方法において、
前記適応レート制御部による、
前記フレーム単位での送信失敗確率ｒまたは前記送信失敗確率ｒに基づく値ｒ’が第１の閾値未満となった場合には前記MCSを高いレベルに引き上げ、
前記フレーム単位での送信失敗確率ｒまたは前記送信失敗確率ｒに基づく値ｒ’が第２の閾値以上となった場合には前記MCSを低いレベルに引き下げ、
前記MCSを高いレベルに引き上げた直後に前記フレーム単位での送信が失敗した場合には前記第１の閾値を小さくし、
前記MCSを高いレベルに引き上げた後に前記送信失敗確率ｒまたは前記値ｒ’が第３の閾値未満となった場合には前記第１の閾値を大きくする
ステップを含む送信方法。
【請求項１３】
データを送信する際に適用するMCS(Modulation Coding Scheme)を通信状況に応じて制御する適応レート制御部と、
前記適応レート制御部により決定された前記MCSを用いて前記データを変調符号化し、その結果得られる送信データをフレーム単位で送信する送信部とを備える送信装置の制御用のプログラムであって、
前記適応レート制御部に、
前記フレーム単位での送信失敗確率ｒまたは前記送信失敗確率ｒに基づく値ｒ’が第１の閾値未満となった場合には前記MCSを高いレベルに引き上げ、
前記フレーム単位での送信失敗確率ｒまたは前記送信失敗確率ｒに基づく値ｒ’が第２の閾値以上となった場合には前記MCSを低いレベルに引き下げ、
前記MCSを高いレベルに引き上げた直後に前記フレーム単位での送信が失敗した場合には前記第１の閾値を小さくし、
前記MCSを高いレベルに引き上げた後に前記送信失敗確率ｒまたは前記値ｒ’が第３の閾値未満となった場合には前記第１の閾値を大きくする
ステップを含む処理を送信装置のコンピュータに実行させるプログラム。
【手続補正２】
【補正対象書類名】明細書
【補正対象項目名】０１７０
【補正方法】削除
【補正の内容】